(57)【特許請求の範囲】
【請求項１】
特定地域のネットワークである第１の無線ネットワークにおけるアクセスポイントの通信エリア内に入ると、上記アクセスポイントを通じて上記第１の無線ネットワークと接続する第１のネットワーク接続手段と、基地局を通じて第２の無線ネットワークと接続する第２のネットワーク接続手段と、上記第１のネットワーク接続手段により接続された第１の無線ネットワークに配置されている特定地域向け情報提供サーバ又は上記第２のネットワーク接続手段により接続された第２の無線ネットワークに配置されているサーバにアクセスして、上記特定地域向け情報提供サーバ又は上記第２の無線ネットワークに配置されているサーバから情報を受信して表示するブラウズ手段とを備えた携帯端末において、
上記特定地域向け情報提供サーバから、対応関係があるアクセスポイントを示す当該サーバのプロファイル情報が送信されて、上記第１のネットワーク接続手段により受信された場合、上記プロファイル情報を記憶するプロファイル記憶手段と、上記ブラウズ手段がアクセスを希望しているサーバが上記プロファイル記憶手段によりプロファイル情報が記憶されている特定地域向け情報提供サーバであり、かつ、上記プロファイル情報が示す対応関係があるアクセスポイントの通信エリア内に入っている場合、上記ブラウズ手段を上記第１のネットワーク接続手段と接続する一方、上記アクセスポイントの通信エリア内に入っていない場合、あるいは、上記ブラウズ手段がアクセスを希望しているサーバが上記プロファイル記憶手段によりプロファイル情報が記憶されている特定地域向け情報提供サーバと異なる場合、上記ブラウズ手段を上記第２のネットワーク接続手段と接続するネットワーク選択手段とを設けていることを特徴とする携帯端末。
【請求項２】
第１のネットワーク接続手段により接続される第１の無線ネットワークが無線ＬＡＮ、  第２のネットワーク接続手段により接続される第２の無線ネットワークがインターネットであり、上記インターネットには携帯電話網経由で接続されることを特徴とする請求項１記載の携帯端末。
【請求項３】
プロファイル記憶手段は、第１のネットワーク接続手段により受信されたプロファイル情報が新規のプロファイル情報である場合、そのプロファイル情報を登録するか否かを問い合わせる登録確認画面を表示し、登録を指示する操作が行われた場合に限り、上記プロファイル情報を記憶することを特徴とする請求項１または請求項２記載の携帯端末。
【請求項４】
プロファイル記憶手段は、登録を拒否する操作を行われた場合、第１のネットワーク接続手段により受信されたプロファイル情報を拒否プロファイルリストに登録し、その後、上記拒否プロファイルリストに登録しているプロファイル情報と同一のプロファイル情報が受信された場合、登録確認画面を表示することなく、そのプロファイル情報を廃棄することを特徴とする請求項３記載の携帯端末。
【請求項５】
プロファイル記憶手段は、登録確認画面を表示してから所定時間を経過しても、登録を指示する操作、登録を拒否する操作のいずれも行われない場合、プロファイル情報を記憶する処理及びプロファイル情報を拒否プロファイルリストに登録する処理を行わずに、そのプロファイル情報を廃棄することを特徴とする請求項４記載の携帯端末。
【請求項６】
特定地域のネットワークである第１の無線ネットワークに配置されている特定地域向け情報提供サーバと、上記特定地域向け情報提供サーバ又は第２の無線ネットワークに配置されているサーバにアクセスして、上記特定地域向け情報提供サーバ又は上記第２の無線ネットワークに配置されているサーバから情報を受信して表示するブラウズ手段を有する携帯端末とから構成されている情報アクセスシステムにおいて、
上記携帯端末は、上記第１の無線ネットワークにおけるアクセスポイントの通信エリア内に入ると、上記アクセスポイントを通じて上記第１の無線ネットワークと接続する第１のネットワーク接続手段と、基地局を通じて上記第２の無線ネットワークと接続する第２のネットワーク接続手段と、上記特定地域向け情報提供サーバから、対応関係があるアクセスポイントを示す当該サーバのプロファイル情報が送信されて、上記第１のネットワーク接続手段により受信された場合、上記プロファイル情報を記憶するプロファイル記憶手段と、上記ブラウズ手段がアクセスを希望しているサーバが上記プロファイル記憶手段によりプロファイル情報が記憶されている特定地域向け情報提供サーバであり、かつ、上記プロファイル情報が示す対応関係があるアクセスポイントの通信エリア内に入っている場合、上記ブラウズ手段を上記第１のネットワーク接続手段と接続する一方、上記アクセスポイントの通信エリア内に入っていない場合、あるいは、上記ブラウズ手段がアクセスを希望しているサーバが上記プロファイル記憶手段によりプロファイル情報が記憶されている特定地域向け情報提供サーバと異なる場合、上記ブラウズ手段を上記第２のネットワーク接続手段と接続するネットワーク選択手段とを備えていることを特徴とする情報アクセスシステム。
【発明の詳細な説明】
【技術分野】
【０００１】
この発明は、特定地域の無線ネットワークに配置されている特定地域向け情報提供サーバや、インターネットなどのネットワークに配置されているサーバにアクセスすることが可能な携帯端末と、携帯端末及び特定地域向け情報提供サーバから構成されている情報アクセスシステムとに関するものである。
【背景技術】
【０００２】
近年、無線ＬＡＮ機能を内蔵している携帯電話などの携帯端末の普及が進んでいる。
無線ＬＡＮ機能を内蔵している携帯端末は、無線ＬＡＮのアクセスポイントの通信エリア内では無線ＬＡＮと接続し、無線ＬＡＮのアクセスポイントの通信エリア外では３Ｇ回線などを通じてインターネット等と接続する。
無線ＬＡＮと３Ｇ回線の切り替えは手動で行うのが基本であるが、これを簡略化するために、既知の無線ネットワークに対しては、ネットワークを検出した段階で自動的に接続するような機構が携帯端末に内蔵されている。
【０００３】
また、無線ＬＡＮのアクセスポイントは、特定の地域に限定して情報を提供するような地域限定サービスで利用されていることも多い。
このような場合には、ネットワークに接続すると、自動的に所定のポータルサイトに接続するように設定されており、ユーザが意識しなくても、所定の地域限定サービスを利用することができる。
なお、地域限定の無線ＬＡＮをインターネットにアクセスできるようにネットワーク構成し、無線ＬＡＮ単体でインターネットにアクセスすることが可能な手法も提案されている（例えば、特許文献１を参照）。
【先行技術文献】
【特許文献】
【０００４】
【特許文献１】特開２００４−２７４６８７号公報（段落番号［０００５］、図７）
【発明の概要】
【発明が解決しようとする課題】
【０００５】
従来の携帯端末は以上のように構成されているので、地域限定の無線ＬＡＮに接続しているときに、その無線ＬＡＮに配置されている特定地域向け情報提供サーバだけでなく、インターネットに配置されているサーバにアクセスすることができる。しかし、地域限定の無線ＬＡＮをインターネットと接続することはセキュリティ上の問題があるため、安全な地域限定サービスを提供する上で支障をきたす可能性がある課題があった。
一方、セキュリティ上の問題を解消するために、地域限定の無線ＬＡＮをインターネットと接続せずに、独自のローカルＬＡＮとして利用する構成にすると、インターネットに配置されているサーバにアクセスする際には、明示的に無線ＬＡＮから切断しなければ、３Ｇ回線などの別回線に接続することができない課題があった。
【０００６】
この発明は上記のような課題を解決するためになされたもので、地域限定の無線ネットワークがインターネットなどのネットワークと接続されていない独自のローカルネットワークとして運用される形態でも、特定地域の無線ネットワークに接続されているときに、インターネットなどのネットワークに配置されているサーバに対するアクセスをシームレスに行うことができる携帯端末及び情報アクセスシステムを得ることを目的とする。
【課題を解決するための手段】
【０００７】
この発明に係る携帯端末は、特定地域向け情報提供サーバから、対応関係があるアクセスポイントを示す当該サーバのプロファイル情報が送信されて、第１のネットワーク接続手段により受信された場合、そのプロファイル情報を記憶するプロファイル記憶手段と、ブラウズ手段がアクセスを希望しているサーバがプロファイル記憶手段によりプロファイル情報が記憶されている特定地域向け情報提供サーバであり、かつ、そのプロファイル情報が示す対応関係があるアクセスポイントの通信エリア内に入っている場合、ブラウズ手段を第１のネットワーク接続手段と接続する一方、そのアクセスポイントの通信エリア内に入っていない場合、あるいは、ブラウズ手段がアクセスを希望しているサーバがプロファイル記憶手段によりプロファイル情報が記憶されている特定地域向け情報提供サーバと異なる場合、ブラウズ手段を第２のネットワーク接続手段と接続するネットワーク選択手段とを備えるようにしたものである。
【発明の効果】
【０００８】
この発明によれば、ブラウズ手段がアクセスを希望しているサーバがプロファイル記憶手段によりプロファイル情報が記憶されている特定地域向け情報提供サーバであり、かつ、そのプロファイル情報が示す対応関係があるアクセスポイントの通信エリア内に入っている場合、ブラウズ手段を第１のネットワーク接続手段と接続する一方、そのアクセスポイントの通信エリア内に入っていない場合、あるいは、ブラウズ手段がアクセスを希望しているサーバがプロファイル記憶手段によりプロファイル情報が記憶されている特定地域向け情報提供サーバと異なる場合、ブラウズ手段を第２のネットワーク接続手段と接続するように構成したので、第１の無線ネットワークが第２の無線ネットワークと接続されていない独自のローカルネットワークとして運用される形態でも、第１の無線ネットワークに接続されているときに、第２の無線ネットワークに配置されているサーバに対するアクセスをシームレスに行うことができる効果がある。
【図面の簡単な説明】
【０００９】
【図１】この発明の実施の形態１による情報アクセスシステムを示す構成図である。
【図２】特定地域向け情報提供サーバ１を特定するネットワーク識別子と無線ＬＡＮアクセスポイント３を特定するアクセスポイント識別子とを対応付けているプロファイル情報を示す説明図である。
【図３】プロファイル情報がコメント部分に記載されているＨＴＭＬレスポンスを示す説明図である。
【発明を実施するための形態】
【００１０】
実施の形態１．
図１はこの発明の実施の形態１による情報アクセスシステムを示す構成図である。
図１において、特定地域向け情報提供サーバ１は特定地域の無線ＬＡＮ２に配置されており、地域限定のサービスに関する情報を提供するサーバである。
無線ＬＡＮ２は無線ＬＡＮアクセスポイント３の通信エリア内で、所定の地域限定サービスを提供するためのローカルな第１の無線ネットワークである。
無線ＬＡＮアクセスポイント３は携帯端末７との間で無線信号を送受信する通信機器である。
【００１１】
携帯電話基地局４は携帯電話網経由でインターネット５と接続されており、携帯端末７との間で無線信号を送受信する通信機器である。
インターネット５は第２の無線ネットワークである。この実施の形態１では、第２の無線ネットワークがインターネットである例を示すが、インターネットに限るものではなく、例えば、イントラネットなどのネットワークでもよい。
サーバ６はインターネット５に配置されているサーバであり、この実施の形態１では、説明の便宜上、サーバ６を「インターネットサーバ」と称する。
携帯端末７は例えば携帯電話やモバイルＰＣなどの端末であり、特定地域向け情報提供サーバ１又はインターネットサーバ６にアクセスして、特定地域向け情報提供サーバ１又はインターネットサーバ６から情報を受信して表示する機能を備えている。
【００１２】
携帯端末７の無線ＬＡＮアクセス部１１は例えばＬＡＮカードなどのネットワーク機器から構成されており、無線ＬＡＮ２の無線ＬＡＮアクセスポイント３の通信エリア内に入ると、その無線ＬＡＮアクセスポイント３を通じて無線ＬＡＮ２と接続する処理を実施する。なお、無線ＬＡＮアクセス部１１は第１のネットワーク接続手段を構成している。
パケット通信部１２は例えば無線通信機器から構成されており、携帯電話基地局４を通じてインターネット５と接続する処理を実施する。なお、パケット通信部１２は第２のネットワーク接続手段を構成している。
【００１３】
ブラウズ処理部１３は例えばＷＥＢブラウザなどのソフトウエアを実行するワンチップマイコンや、ＣＰＵを実装している半導体集積回路などから構成されており、無線ＬＡＮアクセス部１１により接続された無線ＬＡＮ２に配置されている特定地域向け情報提供サーバ１又はパケット通信部１２により接続されたインターネット５に配置されているインターネットサーバ６にアクセスして、特定地域向け情報提供サーバ１又はインターネットサーバ６から情報を受信し、その情報を表示処理部１４に出力する処理を実施する。
表示処理部１４は例えばＧＰＵ（Ｇｒａｐｈｉｃｓ  Ｐｒｏｃｅｓｓｉｎｇ  Ｕｎｉｔ）やディスプレイなどから構成されており、ブラウズ処理部１３から出力された情報を表示する処理を実施する。
なお、ブラウズ処理部１３及び表示処理部１４からブラウズ手段が構成されている。
【００１４】
プロファイル記憶部１５は例えばＣＰＵを実装している半導体集積回路や記憶装置（例えば、ＲＡＭ、ハードディスク）などから構成されており、特定地域向け情報提供サーバ１から、対応関係がある無線ＬＡＮアクセスポイント３を示す当該サーバのプロファイル情報が送信されて、無線ＬＡＮアクセス部１１により受信された場合、そのプロファイル情報を記憶する処理を実施する。なお、プロファイル記憶部１５はプロファイル記憶手段を構成している。
【００１５】
ネットワーク選択部１６は例えばＣＰＵを実装している半導体集積回路、あるいは、ワンチップマイコンなどから構成されており、ブラウズ処理部１３がアクセスを希望しているサーバがプロファイル記憶部１５によりプロファイル情報が記憶されている特定地域向け情報提供サーバ１であり、かつ、そのプロファイル情報が示す対応関係がある無線ＬＡＮアクセスポイント３の通信エリア内に入っている場合、ブラウズ処理部１３を無線ＬＡＮアクセス部１１と接続する一方、その無線ＬＡＮアクセスポイント３の通信エリア内に入っていない場合、あるいは、ブラウズ処理部１３がアクセスを希望しているサーバがプロファイル記憶部１５によりプロファイル情報が記憶されている特定地域向け情報提供サーバ１と異なる場合（例えば、インターネットサーバ６である場合）、ブラウズ処理部１３をパケット通信部１２と接続する処理を実施する。なお、ネットワーク選択部１６はネットワーク選択手段を構成している。
【００１６】
図１の例では、携帯端末７の構成要素である無線ＬＡＮアクセス部１１、パケット通信部１２、ブラウズ処理部１３、表示処理部１４、プロファイル記憶部１５及びネットワーク選択部１６のそれぞれが専用のハードウェアで構成されているものを想定しているが、
携帯端末７がコンピュータで構成されていてもよい。
携帯端末７がコンピュータで構成されている場合、無線ＬＡＮアクセス部１１、パケット通信部１２、ブラウズ処理部１３、表示処理部１４、プロファイル記憶部１５及びネットワーク選択部１６の処理内容を記述しているプログラムをコンピュータのメモリに格納し、当該コンピュータのＣＰＵが当該メモリに格納されているプログラムを実行するようにすればよい。
【００１７】
次に動作について説明する。
無線ＬＡＮアクセスポイント３は、例えば、ＩＥＥＥ８０１．１１ｂなどの無線ＬＡＮ規格で提供しているビーコン情報を発信している。
携帯端末７のネットワーク選択部１６は、無線ＬＡＮアクセス部１１が無線ＬＡＮアクセスポイント３から発信されたビーコン情報を受信すると、無線ＬＡＮアクセスポイント３の通信エリア内に入ったことを検知する。
【００１８】
携帯端末７のネットワーク選択部１６は、無線ＬＡＮアクセスポイント３の通信エリア内に入ったことを検知すると、その無線ＬＡＮアクセスポイント３が接続されている無線ＬＡＮ２に対する接続を無線ＬＡＮアクセス部１１に指示する。
これにより、無線ＬＡＮアクセス部１１は、その無線ＬＡＮアクセスポイント３を通じて無線ＬＡＮ２と接続する。
【００１９】
ネットワーク選択部１６は、無線ＬＡＮ２との接続が完了すると、例えば、ＨＴＴＰ（ＨｙｐｅｒＴｅｘｔ  Ｔｒａｎｓｆｅｒ  Ｐｒｏｔｏｃｏｌ）で特定地域向け情報提供サーバ１にアクセスする。
このとき、ネットワーク選択部１６がアクセスするＵＲＬ（Ｕｎｉｆｏｒｍ  Ｒｅｓｏｕｒｃｅ  Ｌｏｃａｔｏｒ）は任意のものでよい。即ち、特定地域向け情報提供サーバ１はＨＴＴＰサーバになっており、アクセス不能なＵＲＬに対しては、リダイレクトの機能によって、特定地域向け情報提供サーバ１に設定されているページを返すように設定されている。
【００２０】
特定地域向け情報提供サーバ１は、携帯端末７のネットワーク選択部１６からアクセスを受けると、特定地域向け情報提供サーバ１を特定するネットワーク識別子（例えば、ＵＲＬ）と、特定地域向け情報提供サーバ１が配置されている無線ＬＡＮ２の無線ＬＡＮアクセスポイント３を特定するアクセスポイント識別子（例えば、ＳＳＩＤ（Ｓｅｒｖｉｃｅ  Ｓｅｔ  Ｉｄｅｎｔｉｆｉｅｒ））とを対応付けているプロファイル情報をＨＴＭＬレスポンスのコメント部分に記載し、そのＨＴＭＬレスポンスを無線ＬＡＮアクセスポイント３経由で携帯端末７に送信する。
【００２１】
ここで、図２は特定地域向け情報提供サーバ１を特定するネットワーク識別子と無線ＬＡＮアクセスポイント３を特定するアクセスポイント識別子とを対応付けているプロファイル情報を示す説明図である。
また、図３はプロファイル情報がコメント部分に記載されているＨＴＭＬレスポンスを示す説明図である。
図３の例では、通常のＷＥＢブラウザが読み飛ばす部分である「＜！--」で始まる行をコメント部分として、プロファイル情報を記述している。
【００２２】
携帯端末７のネットワーク選択部１６は、無線ＬＡＮアクセス部１１がＨＴＭＬレスポンスを受信すると、そのＨＴＭＬレスポンスを解析して、そのＨＴＭＬレスポンスのコメント部分からプロファイル情報を抽出する。
プロファイル記憶部１５は、ネットワーク選択部１６がプロファイル情報を抽出すると、そのプロファイル情報を記憶する。
ここでは、特定地域向け情報提供サーバ１からプロファイル情報がコメント部分に記載されているＨＴＭＬレスポンスが送信される例を示しているが、プロファイル情報が携帯端末７に伝えられればよく、プロファイル情報の送信形態は問わない。
【００２３】
その後、携帯端末７を所持しているユーザが無線ＬＡＮアクセスポイント３の通信エリア外に移動すると、無線ＬＡＮ２との接続が切れるが、再度、無線ＬＡＮアクセスポイント３の通信エリア内に入ると、無線ＬＡＮアクセス部１１が無線ＬＡＮアクセスポイント３から発信されたビーコン情報を受信することで、携帯端末７のネットワーク選択部１６が、無線ＬＡＮアクセスポイント３の通信エリア内に入ったことを検知する。
ネットワーク選択部１６は、無線ＬＡＮアクセスポイント３の通信エリア内に入ったことを検知すると、その無線ＬＡＮアクセスポイント３が接続されている無線ＬＡＮ２に対する接続を無線ＬＡＮアクセス部１１に指示する。
これにより、無線ＬＡＮアクセス部１１は、その無線ＬＡＮアクセスポイント３を通じて無線ＬＡＮ２と接続する。
【００２４】
ブラウズ処理部１３は、例えば、ユーザがアクセスを希望するサーバのネットワーク識別子を指定すると、そのサーバのネットワーク識別子を出力する。ここでは、ネットワーク識別子がＵＲＬである例を説明する。
ブラウズ処理部１３が特定地域向け情報提供サーバ１のＵＲＬ、または、インターネットサーバ６のＵＲＬを出力することが考えられるが、例えば、ＷＥＢブラウザの「お気に入り」の欄に、特定地域向け情報提供サーバ１やインターネットサーバ６のサイトを登録していれば、特定地域向け情報提供サーバ１やインターネットサーバ６のＵＲＬを容易に出力することができる。
【００２５】
ネットワーク選択部１６は、ブラウズ処理部１３からアクセスを希望するサーバのＵＲＬを受けると、プロファイル記憶部１５に記憶されているプロファイル情報の中に、そのサーバのＵＲＬと一致するＵＲＬ（ネットワーク識別子）が記録されているプロファイル情報があるか否かを判定する。
ネットワーク選択部１６は、ＵＲＬが一致するプロファイル情報がある場合、そのプロファイル情報に記録されている当該ＵＲＬ（ネットワーク識別子）に対応する無線ＬＡＮアクセスポイント３のアクセスポイント識別子（例えば、ＳＳＩＤ）を取得する。
【００２６】
ネットワーク選択部１６は、ＵＲＬが一致するプロファイル情報から無線ＬＡＮアクセスポイント３のアクセスポイント識別子を取得すると、そのアクセスポイント識別子が無線ＬＡＮアクセス部１１により受信されたビーコン情報に含まれているアクセスポイント識別子と一致しているか否かを判定し、一致していれば、現在、アクセスを希望するサーバが配置されている無線ＬＡＮ２の無線ＬＡＮアクセスポイント３の通信エリア内に入っていると判断する。一方、一致しなければ、現在、アクセスを希望するサーバが配置されている無線ＬＡＮ２の無線ＬＡＮアクセスポイント３の通信エリア内に入っていないと判断する。
【００２７】
図２の例では、３つのプロファイル情報が記憶されているが、例えば、一致しているＵＲＬが「http://melcoinfo」であるとき、ビーコン情報に含まれているアクセスポイント識別子であるＳＳＩＤが「ＡＰ１」であれば、現在、アクセスを希望するサーバが配置されている無線ＬＡＮ２の無線ＬＡＮアクセスポイント３の通信エリア内に入っていると判断する。
一致しているＵＲＬが「http://melcoinfo」であるとき、例えば、ビーコン情報に含まれているアクセスポイント識別子であるＳＳＩＤが「ＡＰ２」であれば、現在、アクセスを希望するサーバが配置されている無線ＬＡＮ２の無線ＬＡＮアクセスポイント３の通信エリア内に入っていないと判断する。
【００２８】
ネットワーク選択部１６は、現在、アクセスを希望するサーバが配置されている無線ＬＡＮ２の無線ＬＡＮアクセスポイント３の通信エリア内に入っていると判断すると、ブラウズ処理部１３を無線ＬＡＮアクセス部１１と接続する。
これにより、ブラウズ処理部１３は、アクセスを希望するサーバである特定地域向け情報提供サーバ１とのアクセスが可能になる。
【００２９】
ネットワーク選択部１６は、アクセスを希望するサーバが配置されている無線ＬＡＮ２の無線ＬＡＮアクセスポイント３の通信エリア内に入っていないと判断する場合、あるいは、ブラウズ処理部１３から出力されたＵＲＬと一致するＵＲＬが記録されているプロファイル情報がない場合（アクセスを希望しているサーバが特定地域向け情報提供サーバ１と異なる場合）、無線ＬＡＮアクセス部１１と無線ＬＡＮアクセスポイント３の接続を終了してから、ブラウズ処理部１３をパケット通信部１２と接続する。
これにより、パケット通信部１２が携帯電話基地局４を通じてインターネット５と接続したのち、ブラウズ処理部１３は、アクセスを希望するサーバであるインターネット５上のサーバとのアクセスが可能になる。
ここでは、無線ＬＡＮアクセス部１１と無線ＬＡＮアクセスポイント３の接続を終了してから、ブラウズ処理部１３をパケット通信部１２と接続する例を示したが、無線ＬＡＮアクセス部１１と無線ＬＡＮアクセスポイント３の接続を維持したまま、ブラウズ処理部１３をパケット通信部１２と接続するようにしてもよい。
【００３０】
なお、ブラウズ処理部１３から出力されたＵＲＬを有するサーバがインターネットサーバ６であれば、インターネットサーバ６とのアクセスが可能になるが、例えば、ブラウズ処理部１３から出力されたＵＲＬが、プロファイル情報がプロファイル記憶部１５に記憶されていない特定地域向け情報提供サーバ（インターネットには接続されていないサーバ）のＵＲＬや、アクセス不能なＵＲＬであるような場合にはアクセスすることができない。ただし、通常のインターネット上でのサービス検索のように、ＤＮＳ（Ｄｏｍａｉｎ  Ｎａｍｅ  Ｓｅｒｖｅｒ）などを利用して、サービスサイトを検索することで、インターネット５に配置されているサーバとのアクセスが可能になる。
【００３１】
この実施の形態１では、ネットワーク選択部１６が、ブラウズ処理部１３と無線ＬＡＮアクセス部１１又はパケット通信部１２との間を受け持つ構成を示したが、独立したツールとして提供し、常時起動しておくことで、同様の動作をさせることも可能である。
実装方法としては、ミドルウェアとして関数を提供し、ＷＥＢブラウザをはじめとするアプリケーションが、これを利用してプログラムを生成する方法と、通信をフック（横取り）して、自動的にルーティングを変更する方法がある。
さらに、ＷＥＢブラウザは、ネットワークアクセスを行って、他のサービスへアクセスするアプリケーションであれば、どのようなものでも適用可能であり、ＷＥＢブラウザに限定するものではない。
【００３２】
この実施の形態１では、１つの特定地域向け情報提供サーバ１のプロファイル情報を携帯端末７に登録する例を示したが、複数のプロファイル情報を登録することも可能である。
また、１つの無線ＬＡＮアクセスポイント３に対して、複数の特定地域向け情報提供サーバ１を対応付けることも可能である。この場合も、照合手順は、この実施の形態１に記載した通りである。
複数の特定地域向け情報提供サーバ１を１つの無線ＬＡＮアクセスポイント３に対応づけることで、大型ショッピングセンターの各テナントにおける独自サービスの提供や、期間限定のサービスへのアクセスを可能とすることができる。加えて、プロファイル情報は特定地域向け情報提供サーバ１にアクセスしなくても、インターネット５に配置されているサーバにまとめて蓄積しておき、任意のプロファイル情報を受信して登録するようにすることもできる。
【００３３】
以上で明らかなように、この実施の形態１によれば、ブラウズ処理部１３がアクセスを希望しているサーバがプロファイル記憶部１５によりプロファイル情報が記憶されている特定地域向け情報提供サーバ１であり、かつ、そのプロファイル情報が示す対応関係がある無線ＬＡＮアクセスポイント３の通信エリア内に入っている場合、ブラウズ処理部１３を無線ＬＡＮアクセス部１１と接続する一方、その無線ＬＡＮアクセスポイント３の通信エリア内に入っていない場合、あるいは、ブラウズ処理部１３がアクセスを希望しているサーバがプロファイル記憶部１５によりプロファイル情報が記憶されている特定地域向け情報提供サーバ１と異なる場合、ブラウズ処理部１３をパケット通信部１２と接続するように構成したので、地域限定の無線ＬＡＮ２がインターネット５と接続されていない独自のローカルネットワークとして運用される形態でも、特定地域の無線ＬＡＮ２に接続されているときに、インターネット５に配置されているサーバに対するアクセスをシームレスに行うことができる効果を奏する。
即ち、携帯端末７を所持するユーザが意識することなく、特定地域向け情報提供サーバ１が提供するサービスと、インターネット網で提供するサービスとを、通信設定を行わずにシームレスに切り替えて表示することが可能になる。
【００３４】
実施の形態２．
上記実施の形態１では、特定地域向け情報提供サーバ１から送信されたプロファイル情報が無線ＬＡＮアクセス部１１により受信された場合、プロファイル記憶部１５が、そのプロファイル情報を無条件に記憶するものを示したが、プロファイル記憶部１５が、無線ＬＡＮアクセス部１１により受信されたプロファイル情報が新規のプロファイル情報である場合（未登録のプロファイル情報である場合）、そのプロファイル情報を記憶する前に、そのプロファイル情報を登録するか否かを問い合わせる登録確認画面を表示処理部１４に表示するようにしてもよい。
プロファイル記憶部１５は、登録確認画面を見たユーザが、図示せぬインタフェース（例えば、キーボードやマウス）を用いて、登録を指示する操作を行えば、そのプロファイル情報を記憶するようにする。
一方、ユーザが登録を拒否する操作を行えば、そのプロファイル情報を廃棄するようにする。
【００３５】
この実施の形態２によれば、プロファイル記憶部１５が、無線ＬＡＮアクセス部１１により受信されたプロファイル情報が新規のプロファイル情報である場合、そのプロファイル情報を登録するか否かを問い合わせる登録確認画面を表示し、登録を指示する操作が行われた場合に限り、そのプロファイル情報を記憶するように構成したので、不要なサービスへのアクセスを防ぎつつ、自動的に特定地域向け情報提供サーバへのアクセスが可能になる効果がある。
【００３６】
実施の形態３．
上記実施の形態２では、ユーザが登録を拒否する操作を行えば、プロファイル情報を廃棄するものを示したが、その際、プロファイル記憶部１５が、そのプロファイル情報を拒否プロファイルリストに登録するようにしてもよい。
これにより、プロファイル記憶部１５は、その後、無線ＬＡＮアクセス部１１により受信されたプロファイル情報が、拒否プロファイルリストに登録しているプロファイル情報と一致する場合、上記実施の形態２で示すような登録確認画面を表示することなく、そのプロファイル情報を廃棄するようにする。
即ち、登録を拒否しているプロファイルを再度受信した場合、新規登録の問い合わせを行わずに、そのプロファイル情報を廃棄するようにする。
【００３７】
この実施の形態３によれば、登録を拒否する操作を行われた場合、無線ＬＡＮアクセス部１１により受信されたプロファイル情報を拒否プロファイルリストに登録し、その後、その拒否プロファイルリストに登録しているプロファイル情報と同一のプロファイル情報が受信された場合、登録確認画面を表示することなく、そのプロファイル情報を廃棄するように構成したので、ユーザが希望しないプロファイル情報をブロックすることができる効果を奏する。
【００３８】
実施の形態４．
上記実施の形態２では、登録確認画面を見たユーザが登録を指示する操作を行えば、プロファイル情報を記憶し、上記実施の形態３では、ユーザが登録を拒否する操作を行えば、そのプロファイル情報を拒否プロファイルリストに登録するものを示したが、登録確認画面を表示してから所定時間を経過しても、ユーザが登録を指示する操作や、登録を拒否する操作を行わないことも考えられる。
この実施の形態４では、登録確認画面を表示してから所定時間を経過しても、登録を指示する操作、登録を拒否する操作のいずれも行われない場合、プロファイル記憶部１５が、プロファイル情報を記憶する処理や、プロファイル情報を拒否プロファイルリストに登録する処理を行わずに、そのプロファイル情報を廃棄するようにする。
これにより、ユーザの指示を受けていない処理（無駄なアクセス）を防ぐことができる効果を奏する。
【００３９】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４０】
１  特定地域向け情報提供サーバ、２  無線ＬＡＮ（第１の無線ネットワーク）、３  無線ＬＡＮアクセスポイント、４  携帯電話基地局、５  インターネット（第２の無線ネットワーク）、６  インターネットサーバ、７  携帯端末、１１  無線ＬＡＮアクセス部（第１のネットワーク接続手段）、１２  パケット通信部（第２のネットワーク接続手段）、１３  ブラウズ処理部（ブラウズ手段）、１４  表示処理部（ブラウズ手段）、１５  プロファイル記憶部（プロファイル記憶手段）、１６  ネットワーク選択部（ネットワーク選択手段）。
【図１】
0005804953.tif 000002
【図２】
0005804953.tif 000003
【図３】
0005804953.tif 000004